(57)【要約】 【課題】従来よりも省エネルギーで減塩ができる脱塩複合排水処理方法を提供しようとするもの。 【解決手段】食塩含有水中の食塩を活性炭に吸着する吸着工程と、食塩を吸着した活性炭の少なくとも一部を排水に及ぼして電気分解する排水電解工程とを有し、排水の電解後の活性炭を再び食塩含有水に及ぼすようにした。吸着工程で食塩含有水中の食塩を活性炭に吸着するようにしたので、海水（通常３％程度）や濃縮食塩廃液などの食塩含有水から食塩を回収することが出来る。【選択図】なし【特許請求の範囲】
【請求項１】
食塩含有水中の食塩を活性炭に吸着する吸着工程と、食塩を吸着した活性炭の少なくとも一部を排水に及ぼして電気分解する排水電解工程とを有し、排水の電解後の活性炭を再び食塩含有水に及ぼすようにしたことを特徴とする脱塩複合排水処理方法。
【発明の詳細な説明】
【技術分野】
【０００１】
この発明は、従来よりも省エネルギーで減塩ができる脱塩複合排水処理方法に関するものである。 
【背景技術】
【０００２】
従来、逆浸透膜を用いて、海水の淡水化を行う海水淡水化システムに関する提案があった（特許文献１）。 
すなわち、海水淡水化の方法としては、海水を蒸留して真水を得る蒸発法と呼ばれる方法と、逆浸透膜（ＲＯ膜）を用いて海水を高圧で濾過する膜法（ＲＯ膜法）とが実用化されている。ＲＯ膜法では、高圧ＲＯポンプにより昇圧された海水をＲＯ膜に通すことにより、海水の脱塩を行う。ＲＯ膜法は、一般的に蒸発法と比較して淡水化コストが安い。そのため、現在では蒸発法に代わって普及が進みつつある。
ところで、ＲＯ膜法による海水淡水化システムでは、海水をＲＯ膜に通して脱塩する前に、取水した海水中の懸濁物質を除去するために前処理を行う。近年、この前処理には、精密ろ過膜（ＭＦ膜）及び限外ろ過膜（ＵＦ膜）等が用いられる。また、ＲＯ膜法による海水淡水化システムでは、前処理後の海水を調整槽で一旦保持する。調整槽は、ＲＯ膜への送水要求量が増加した場合、及び、前処理量が減少した場合等にも高圧ＲＯポンプに対して前処理済みの海水を安定して供給するために設置されている。そして、高圧ＲＯポンプは、調整槽からの海水を昇圧してＲＯ膜へ送水する。しかしながら、この方法では、前処理した海水を一旦調整槽で保持しなければならず、調整槽内で微生物や塵などの懸濁物質が混入し、水質が劣化するおそれがあるという問題がある。
以上のように、従来の海水淡水化システムでは、調整槽を設置しなければならず、システムの大型化の要因となっていた。また、海水を調整槽で保持している間に、その水質が劣化するおそれがあった。
この従来提案は上記事情によりなされたもので、その目的は、調整槽がなくても高圧ＲＯポンプへ安定して海水を供給することが可能であり、かつ、システムの小型化及び水質劣化の抑制を図ることが可能な海水淡水化システムを提供することにある。
上記目的を達成するため、この従来提案に係る海水淡水化システムは、取水槽に蓄積された海水を第１の制御信号に従った流量で出力する膜ろ過ポンプと、前記膜ろ過ポンプからの海水の流量Ｑ１を計測する第１の流量計と、前記膜ろ過ポンプからの海水をろ過するろ過膜と、前記ろ過膜でろ過されたろ過水を第２の制御信号に従った流量で出力する高圧ポンプと、前記高圧ポンプからのろ過水の圧力Ｐ１を計測する第１の圧力計と、前記高圧ポンプからのろ過水を脱塩し淡水とする逆浸透膜と、前記逆浸透膜からの淡水の流量Ｑ２を計測する第２の流量計と、前記逆浸透膜における脱塩により排出された高濃度塩水の流量Ｑ３を計測する第３の流量計と、前記高濃度塩水を排水する排水弁であって、第３の制御信号に従って弁開度を変化させる排水弁と、前記流量Ｑ１を流量Ｑ２＋Ｑ３に追従させるように、前記膜ろ過ポンプに対して前記第１の制御信号を与える第１の流量制御と、前記流量Ｑ２を予め設定された目標値に追従させるように、前記高圧ポンプに対して前記第２の制御信号を与える第２の流量制御と、前記圧力Ｐ１を予め設定された圧力範囲内に収めるように、前記排水弁に対して前記第３の制御信号を与える第３の流量制御を行う制御部とを具備する。
上記構成による海水淡水化システムでは、第１、第２及び第３の流量計と、第１の圧力計とによる計測結果に基づいて、膜ろ過ポンプ、高圧ポンプ及び排水弁を制御するようにしている。これにより、システム内で要求される海水を安定して供給することが可能となる。つまり、海水淡水化システムは、従来のシステムにおける調整槽が無いにも関らず、前処理済みの海水を安定して供給することが可能となる。また、調整槽が無いため、微生物及び塵等の懸濁物質の混入を防ぐことが可能である。さらに、調整槽が不要であるため、調整槽からの海水から懸濁物質を除去する保安フィルタ及び海水を保安フィルタへ送水するための送水ポンプが不要となる。
この従来提案によれば、調整槽がなくても高圧ＲＯポンプへ安定して海水を供給することが可能であり、かつ、システムの小型化及び水質劣化の抑制を図ることが可能な海水淡水化システムを提供することができる、というものである。
しかし、このものでは高圧ポンプが必要であり非常に大きなエネルギーを消費するという問題があった。 
【先行技術文献】
【特許文献】
【０００３】
【特許文献１】特開２０１１−１８９２５３号公報
【発明の概要】
【発明が解決しようとする課題】
【０００４】
そこでこの発明は、従来よりも省エネルギーで減塩ができる脱塩複合排水処理方法を提供しようとするものである。 
【課題を解決するための手段】
【０００５】
前記課題を解決するためこの発明では次のような技術的手段を講じている。 
この発明の脱塩複合排水処理方法は、食塩含有水中の食塩を活性炭に吸着する吸着工程と、食塩を吸着した活性炭の少なくとも一部を排水に及ぼして電気分解する排水電解工程とを有し、排水の電解後の活性炭を再び食塩含有水に及ぼすようにしたことを特徴とする。
ここで、前記食塩含有水として、海水（通常３％程度）、陸地の沿岸部や離島などの海水含有井水、化学工場などの濃縮食塩廃液などを例示することが出来る。
【０００６】
この脱塩複合排水処理方法によると、吸着工程で食塩含有水中の食塩を活性炭に吸着するようにしたので、食塩含有水から食塩を回収することが出来る。なお、22％食塩水から活性炭1g当たり、約0.2gの食塩を吸着することが出来た。
また、食塩を吸着した活性炭活性炭の少なくとも一部を排水に及ぼして排水電解工程で電気分解するようにしたので、活性炭に吸着された食塩の塩化物イオン（Cl−）が排水に再溶解し、電解塩素（Cl2、HOCl、ClO−）となって排水中の有機物などの汚れ成分を分解浄化することが出来る。前記汚れ成分の評価指標として、CODやTOCを例示することが出来る。
【０００７】
そして、排水の電解後の活性炭を再び食塩含有水に及ぼすようにしたので、排水電解工程で食塩が消費された活性炭を食塩含有水に接触させて食塩を再び吸着させることが出来る。
これにより、食塩含有水から食塩を回収してその食塩濃度を低減することが出来ると共に、活性炭により回収した食塩によって排水電解工程で生成する電解塩素によって排水を浄化することが出来る。
【発明の効果】
【０００８】
この発明は上述のような構成であり、次の効果を有する。 
食塩含有水から食塩を回収して食塩濃度を低減することが出来ると共に、回収した食塩から排水電解工程で生成する電解塩素によって排水を浄化することが出来るので、高圧ポンプを使用する必要がなく従来よりも省エネルギーで減塩ができる脱塩複合排水処理方法を提供することが出来る。
【発明を実施するための形態】
【０００９】
以下、この発明の実施の形態を説明する。 
この実施形態の脱塩複合排水処理方法は、食塩含有水中の食塩を活性炭に吸着する吸着工程と、食塩を吸着した活性炭の少なくとも一部を排水に及ぼして電気分解する排水電解工程とを有し、排水の電解後の活性炭を再び食塩含有水に及ぼすようにした。
前記食塩含有水として、海水（通常３％程度）、陸地の沿岸部や離島などの海水含有井水、化学工場などの濃縮食塩廃液などがある。
【００１０】
次に、この実施形態の脱塩複合排水処理方法の使用状態を説明する。 
この脱塩複合排水処理方法によると、吸着工程で食塩含有水中の食塩を活性炭に吸着するようにしたので、食塩含有水から食塩を回収することが出来た。ここで、22％食塩水から活性炭1g当たり、約0.2gの食塩を吸着することが出来た。
また、食塩を吸着した活性炭活性炭の少なくとも一部を排水に及ぼして排水電解工程で電気分解するようにしたので、活性炭に吸着された食塩の塩化物イオン（Cl−）が排水に再溶解し、電解塩素（Cl2、HOCl、ClO−）となって排水中の有機物などの汚れ成分を分解浄化することが出来た。前記汚れ成分の評価指標として、CODやTOCを使用した。
【００１１】
そして、排水の電解後の活性炭を再び食塩含有水に及ぼすようにしたので、排水電解工程で食塩が消費された活性炭を食塩含有水に接触させて食塩を再び吸着させることが出来た。
これにより、食塩含有水から食塩を回収してその食塩濃度を低減することが出来ると共に、活性炭により回収した食塩によって排水電解工程で生成する電解塩素によって排水を浄化することが出来た。
すなわち、高圧ポンプを使用する必要がなく従来よりも省エネルギーで減塩することが出来ると共に、その上、回収した食塩を有効利用して排水を処理することも出来た。
【産業上の利用可能性】
【００１２】
従来よりも省エネルギーで減塩ができることによって、種々の脱塩複合排水処理方法の用途に適用することができる。